【手続補正書】
【提出日】平成17年2月14日(2005.2.14)
【手続補正１】
【補正対象書類名】明細書
【補正対象項目名】特許請求の範囲
【補正方法】変更
【補正の内容】
【特許請求の範囲】
【請求項１】
異なる通信網に接続する複数の接続装置と、前記接続装置と通信可能な通信装置と、少なくとも前記通信装置の通信に関する管理を行う管理装置を有する通信システムにおいて、
前記通信装置の通信に必要とする通信品質を複数記憶する記憶手段と、
前記記憶手段に記憶された複数の通信品質に基いて、前記複数の接続装置から少なくとも１つの接続装置を選択する選択手段と、
前記選択手段により選択された接続装置を介した通信を行うための通信資源を確保する確保手段と、
前記選択手段により選択された接続装置により保証される通信品質に基づく情報を通知する通知手段と、を有し、
前記選択手段は、前記管理装置が有することを特徴とする通信システム。
【請求項２】
異なる通信網に接続する複数の接続装置と、前記接続装置と通信可能な通信装置と、少なくとも前記通信装置の通信に関する管理を行う管理装置を有する通信システムにおける制御方法において、
前記通信装置の通信に必要とする通信品質を複数記憶する記憶工程と、
前記記憶工程において記憶された複数の通信品質に基いて、前記複数の接続装置から少なくとも１つの接続装置を選択する選択工程と、
前記選択工程において選択された接続装置を介した通信を行うための通信資源を確保する確保工程と、
前記選択工程において選択された接続装置により保証される通信品質に基づく情報を通知する通知工程と、を有し、
前記選択工程における選択は、前記管理装置が実行することを特徴とする制御方法。
【請求項３】
異なる通信網に接続する複数の接続装置と、前記接続装置と通信可能な通信装置と、少なくとも前記通信装置の通信に関する管理を行う管理装置を有する通信システムの前記管理装置において、
前記複数の接続装置に関する情報を記憶する記憶手段と、
前記通信装置から、通信に必要とする通信品質を示す情報を受信する受信手段と、
前記受信手段により受信した通信品質を示す情報及び前記前記記憶手段に記憶された複数の接続装置に関する情報に基いて、前記複数の接続装置から少なくとも１つの接続装置を選択する選択手段と、
を有することを特徴とする管理装置。
【請求項４】
請求項３において、
前記受信手段により受信する通信品質は、複数のパラメータを含むことを特徴とする管理装置。
【請求項５】
請求項３において、
前記受信手段により受信する通信品質は、通信に要求される平均ビットレート、最高ビットレート、平均遅延時間、最大遅延時間、パケット損失率、通信コストの上限の少なくとも１つを含むことを特徴とする管理装置。
【請求項６】
請求項３において、
前記複数の通信網は、ローカルエリアネットワーク、公衆回線網、インターネットの少なくとも１つを含むことを特徴とする管理装置。
【請求項７】
請求項３において、
前記選択手段は、第１の通信品質に基いて選択した接続装置を介した通信ができない場合は、第２の通信品質に基いて他の接続装置を選択することを特徴とする管理装置。
【請求項８】
請求項７において、
前記第１の通信品質に基いて選択した接続装置を介した通信ができない場合とは、前記接続装置を介した通信を行うための通信資源を確保できない場合であることを特徴とする管理装置。
【請求項９】
異なる通信網に接続する複数の接続装置と、前記接続装置と通信可能な通信装置と、少なくとも前記通信装置の通信に関する管理を行う管理装置を有する通信システムの前記通信装置において、
前記通信装置の通信に必要とする通信品質を複数記憶する記憶手段と、
前記記憶手段に記憶された複数の通信品質に基いて、前記複数の接続装置から少なくとも１つの接続装置を選択するように前記管理装置に要求する要求手段と、
前記要求手段による要求に基づいて前記管理装置により選択された接続装置を介して通信する通信手段を有することを特徴とする通信装置。
【請求項１０】
請求項９において、
前記通信手段は、前記接続装置により確保された通信資源を用いて通信を行うことを特徴とする通信装置。
【請求項１１】
請求項９において、
前記通信品質は、複数のパラメータを含み、前記記憶手段は前記複数のパラメータを含む複数の通信品質を記憶することを特徴とする通信装置。
【請求項１２】
請求項９において、
前記通信品質は、通信に要求される平均ビットレート、最高ビットレート、平均遅延時間、最大遅延時間、パケット損失率、通信コストの上限の少なくとも１つを含むことを特徴とする通信装置。
【請求項１３】
請求項９において、
前記複数の通信網は、ローカルエリアネットワーク、公衆回線網、インターネットの少なくとも１つを含むことを特徴とする通信装置。
【請求項１４】
請求項９において、
前記通信品質は、オペレータにより設定可能であることを特徴とする通信装置。
【請求項１５】
請求項９において、
前記記憶手段に記憶された複数の通信品質には、優先順位が付けられていることを特徴とする通信装置。
【請求項１６】
請求項１５において、
前記要求手段は、第１の優先順位の通信品質に基いて前記管理装置が選択した接続装置を介した通信ができない場合は、第２の優先順位の通信品質に基いて他の接続装置を選択するように前記管理装置に要求することを特徴とする通信装置。
【請求項１７】
請求項１６において、
前記第１の優先順位の通信品質に基いて選択した接続装置を介した通信ができない場合とは、通信資源の確保ができず前記通信手段による通信ができない場合であることを特徴とする通信装置。
【請求項１８】
異なる通信網に接続する複数の接続装置と、前記接続装置と通信可能な通信装置と、少なくとも前記通信装置の通信に関する管理を行う管理装置を有する通信システムの前記管理装置の制御方法において、
前記複数の接続装置に関する情報を記憶させる記憶工程と、
前記通信装置から、通信に必要とする通信品質を示す情報を受信させる受信工程と、
前記受信工程において受信された通信品質を示す情報及び前記前記記憶工程において記憶された複数の接続装置に関する情報に基いて、前記複数の接続装置から少なくとも１つの接続装置を選択する選択工程を有することを特徴とする管理装置の制御方法。
【請求項１９】
異なる通信網に接続する複数の接続装置と、前記接続装置と通信可能な通信装置と、少なくとも前記通信装置の通信に関する管理を行う管理装置を有する通信システムの前記通信装置の制御方法において、
前記通信装置の通信に必要とする通信品質を複数記憶させる記憶工程と、
前記記憶工程において記憶された複数の通信品質に基いて、前記複数の接続装置から少なくとも１つの接続装置を選択するように前記管理装置に要求させる要求工程と、
前記要求工程における要求に基づいて前記管理装置により選択された接続装置を介して通信させる通信工程を有することを特徴とする通信装置の制御方法。
【請求項２０】
異なる通信網に接続する複数の接続装置と、前記接続装置と通信可能な通信装置と、少なくとも前記通信装置の通信に関する管理を行う管理装置を有する通信システムにおいて、
前記管理装置は、前記通信装置からの要求に応じて、前記通信装置が要求する通信品質を満足する通信が可能な接続装置を、前記通信装置に通知する通知手段を有し、
前記通信装置は、前記管理装置から通知された接続装置に対し、所望の通信品質を満足するリソースの確保を依頼するリソース確保依頼手段と、前記リソースの確保を依頼した接続装置からの返答に基づいて、該接続装置を介して通信する通信手段を有することを特徴とする通信システム。
【請求項２１】
異なる通信網に接続する複数の接続装置と、前記接続装置と通信可能な通信装置と、少なくとも前記通信装置の通信に関する管理を行う管理装置を有する通信システムの制御方法において、
前記管理装置は、前記通信装置からの要求に応じて、前記通信装置が要求する通信品質を満足する通信が可能な接続装置を、前記通信装置に通知する通知工程を有し、
前記通信装置は、前記管理装置から通知された接続装置に対し、所望の通信品質を満足するリソースの確保を依頼するリソース確保依頼工程と、
前記リソースの確保を依頼した接続装置からの返答に基づいて、該接続装置を介して通信する通信工程を有することを特徴とする制御方法。
【請求項２２】
請求項２１において、
前記リソース確保依頼工程は、前記リソースの確保を依頼した接続装置を介した通信では、前記所望の通信品質を確保できない場合は、他の接続装置に対して、前記所望の通信品質満足するリソースの確保を依頼することを特徴とする制御方法。
【請求項２３】
請求項２１において、
更に、第１の通信品質を満足するリソースを確保できる接続装置がない場合は、第２の通信品質を満足する通信が可能な接続装置を前記管理装置に問い合わせる問い合わせ工程．を有することを特徴とする制御方法。
【請求項２４】
請求項２１において、
前記リソース確保依頼工程は、第１の通信品質を満足するリソースを確保できる接続装置がない場合は、第２の通信品質を満足する接続装置に対して、リソースの確保を依頼することを特徴とする制御方法。
【手続補正２】
【補正対象書類名】明細書
【補正対象項目名】０００９
【補正方法】変更
【補正の内容】
【０００９】
【課題を解決するための手段】
本発明は、上記目的を達成するために、異なる通信網に接続する複数の接続装置と、前記接続装置と通信可能な通信装置と、少なくとも前記通信装置の通信に関する管理を行う管理装置を有する通信システムにおいて、前記通信装置の通信に必要とする通信品質を複数記憶する記憶手段と、前記記憶手段に記憶された複数の通信品質に基いて、前記複数の接続装置から少なくとも１つの接続装置を選択する選択手段と、前記選択手段により選択された接続装置を介した通信を行うための通信資源を確保する確保手段と、  前記選択手段により選択された接続装置により保証される通信品質に基づく情報を通知する通知手段と、を有し、前記選択手段は、前記管理装置が有することを特徴とする通信システムを提供する。
【手続補正３】
【補正対象書類名】明細書
【補正対象項目名】００１０
【補正方法】変更
【補正の内容】
【００１０】
また、異なる通信網に接続する複数の接続装置と、前記接続装置と通信可能な通信装置と、少なくとも前記通信装置の通信に関する管理を行う管理装置を有する通信システムにおける制御方法において、前記通信装置の通信に必要とする通信品質を複数記憶する記憶工程と、前記記憶工程において記憶された複数の通信品質に基いて、前記複数の接続装置から少なくとも１つの接続装置を選択する選択工程と、前記選択工程において選択された接続装置を介した通信を行うための通信資源を確保する確保工程と、前記選択工程において選択された接続装置により保証される通信品質に基づく情報を通知する通知工程と、を有し、前記選択工程における選択は、前記管理装置が実行することを特徴とする制御方法を提供する。
【手続補正４】
【補正対象書類名】明細書
【補正対象項目名】００１１
【補正方法】変更
【補正の内容】
【００１１】
また、異なる通信網に接続する複数の接続装置と、前記接続装置と通信可能な通信装置と、少なくとも前記通信装置の通信に関する管理を行う管理装置を有する通信システムの前記管理装置において、前記複数の接続装置に関する情報を記憶する記憶手段と、前記通信装置から、通信に必要とする通信品質を示す情報を受信する受信手段と、前記受信手段により受信した通信品質を示す情報及び前記前記記憶手段に記憶された複数の接続装置に関する情報に基いて、前記複数の接続装置から少なくとも１つの接続装置を選択する選択手段と、を有することを特徴とする管理装置を提供する。
【手続補正５】
【補正対象書類名】明細書
【補正対象項目名】００１２
【補正方法】変更
【補正の内容】
【００１２】
また、異なる通信網に接続する複数の接続装置と、前記接続装置と通信可能な通信装置と、少なくとも前記通信装置の通信に関する管理を行う管理装置を有する通信システムの前記通信装置において、前記通信装置の通信に必要とする通信品質を複数記憶する記憶手段と、前記記憶手段に記憶された複数の通信品質に基いて、前記複数の接続装置から少なくとも１つの接続装置を選択するように前記管理装置に要求する要求手段と、前記要求手段による要求に基づいて前記管理装置により選択された接続装置を介して通信する通信手段を有することを特徴とする通信装置を提供する。
【手続補正６】
【補正対象書類名】明細書
【補正対象項目名】００１３
【補正方法】変更
【補正の内容】
【００１３】
また、異なる通信網に接続する複数の接続装置と、前記接続装置と通信可能な通信装置と、少なくとも前記通信装置の通信に関する管理を行う管理装置を有する通信システムの前記管理装置の制御方法において、前記複数の接続装置に関する情報を記憶させる記憶工程と、前記通信装置から、通信に必要とする通信品質を示す情報を受信させる受信工程と、前記受信工程において受信された通信品質を示す情報及び前記前記記憶工程において記憶された複数の接続装置に関する情報に基いて、前記複数の接続装置から少なくとも１つの接続装置を選択する選択工程を有することを特徴とする管理装置の制御方法を提供する。
【手続補正７】
【補正対象書類名】明細書
【補正対象項目名】００１４
【補正方法】変更
【補正の内容】
【００１４】
また、異なる通信網に接続する複数の接続装置と、前記接続装置と通信可能な通信装置と、少なくとも前記通信装置の通信に関する管理を行う管理装置を有する通信システムの前記通信装置の制御方法において、前記通信装置の通信に必要とする通信品質を複数記憶させる記憶工程と、前記記憶工程において記憶された複数の通信品質に基いて、前記複数の接続装置から少なくとも１つの接続装置を選択するように前記管理装置に要求させる要求工程と、前記要求工程における要求に基づいて前記管理装置により選択された接続装置を介して通信させる通信工程を有することを特徴とする通信装置の制御方法を提供する。
【手続補正８】
【補正対象書類名】明細書
【補正対象項目名】００１５
【補正方法】変更
【補正の内容】
【００１５】
また、異なる通信網に接続する複数の接続装置と、前記接続装置と通信可能な通信装置と、少なくとも前記通信装置の通信に関する管理を行う管理装置を有する通信システムにおいて、前記管理装置は、前記通信装置からの要求に応じて、前記通信装置が要求する通信品質を満足する通信が可能な接続装置を、前記通信装置に通知する通知手段を有し、前記通信装置は、前記管理装置から通知された接続装置に対し、所望の通信品質を満足するリソースの確保を依頼するリソース確保依頼手段と、前記リソースの確保を依頼した接続装置からの返答に基づいて、該接続装置を介して通信する通信手段を有することを特徴とする通信システムを提供する。
【手続補正９】
【補正対象書類名】明細書
【補正対象項目名】００１６
【補正方法】変更
【補正の内容】
【００１６】
また、異なる通信網に接続する複数の接続装置と、前記接続装置と通信可能な通信装置と、少なくとも前記通信装置の通信に関する管理を行う管理装置を有する通信システムの制御方法において、前記管理装置は、前記通信装置からの要求に応じて、前記通信装置が要求する通信品質を満足する通信が可能な接続装置を、前記通信装置に通知する通知工程を有し、前記通信装置は、前記管理装置から通知された接続装置に対し、所望の通信品質を満足するリソースの確保を依頼するリソース確保依頼工程と、前記リソースの確保を依頼した接続装置からの返答に基づいて、該接続装置を介して通信する通信工程を有することを特徴とする制御方法を提供する。
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】